(57)【特許請求の範囲】
【請求項１】
色毎のトナーセーブ率に基づいて画像データを記憶する第１の記憶手段と、
予め特定の色を除いた印字率のしきい値を記憶する第２の記憶手段と、
前記第１の記憶手段に記憶した画像データの出力を行う出力手段と、
前記出力された画像データに基づいて記録媒体に印刷処理を行う印刷手段と、
前記特定の色を除いた前記画像データに含まれる各色の印字率を前記第２の記憶手段に記憶されたしきい値と比較し、該比較結果に基づいて、前記出力手段による画像データの出力を停止させる停止手段と、
を有することを特徴とする印刷装置。
【請求項２】
前記出力手段は、前記特定の色を除いた前記画像データに含まれる各色の印字率が前記第２の記憶手段に記憶されたしきい値より、一つでも小さくない場合、前記画像データの出力を行うことを特徴とする請求項１に記載の印刷装置。
【請求項３】
前記停止手段は、前記特定の色を除いた前記画像データに含まれる各色の印字率を前記第２の記憶手段に記憶されたしきい値と比較し、当該印字率の全てが、対応するしきい値より小さい場合、前記出力手段による画像データの出力を停止させることを特徴とする請求項１に記載の印刷装置。
【請求項４】
前記特定の色は、イエローであることを特徴とする請求項１乃至３に何れか一項に記載の印刷装置。
【請求項５】
色毎のトナーセーブ率に基づいて画像データを記憶装置に記憶させるステップと、
予め特定の色を除いた印字率のしきい値を記憶装置に記憶させるステップと、
前記記憶装置に記憶させた画像データの出力を行うステップと、
前記出力された画像データに基づいて記録媒体に印刷処理を行うステップと、
前記特定の色を除いた前記画像データに含まれる各色の印字率を前記記憶装置に記憶させたしきい値と比較し、該比較結果に基づいて、前記画像データの出力を停止させるステップと、
を含むことを特徴とする印刷方法。
【発明の詳細な説明】
【技術分野】
【０００１】
本発明は、トナーセーブモードによる印刷が可能な印刷装置および印刷方法に関する。
【背景技術】
【０００２】
例えば、電子写真方式を使用したタンデム型の印刷装置は、イエロー（Ｙ）、マゼンタ（Ｍ）、シアン（Ｃ）、ブラック（Ｋ）の画像形成ユニットを使用し、各画像形成ユニットによって用紙（記録媒体）に印刷処理を行っている。このような印刷装置の多くは、印刷時のトナー消費量を削減する目的で、本来より薄い濃度の印刷を行うトナーセーブモードによる印刷機能を備えている。
【０００３】
このような印刷機能を備える特許文献として、特許文献１、及び２が提案されている。特許文献１は、トナー節約モードが指定された時、ＲＧＢ画像データをＣＭＹＫ画像データに変換する際、ＣＭＹＫの画像レベルに依存して変換し、低濃度部の色相を保ち画質の低下を抑制してトナー使用量を低減させる発明である。
【０００４】
また、特許文献２は、ユーザによって指定されたインクセーブモードの条件と、インクセーブモード設定部に設定されたインクセーブの目標値とを比較し、最も目標値に近い色変換パラメータを印刷データの色変換処理に使用する発明である。
【先行技術文献】
【特許文献】
【０００５】
【特許文献１】特開２００９−１４７６２１号公報
【特許文献２】特開２００６−０６８９８２号公報
【発明の概要】
【発明が解決しようとする課題】
【０００６】
しかしながら、従来のトナーセーブモードにおいては、元々印字率の低い印刷物にトナーセーブ率の高い設定を行う場合、印刷濃度が低くなり、判読が難しく、無駄な印刷出力を行なう結果となる場合も多い。この場合、トナー消費量の削減の目的に反することになり、更に用紙（記録媒体）を無駄に消費することになる。
【０００７】
そこで、本発明はトナーセーブモードにおける印刷処理においても、印刷出力の判読が可能であり、トナー消費量の削減、及び用紙（記録媒体）の無駄を無くす印刷装置及び印刷方法を提供するものである。
【課題を解決するための手段】
【０００８】
本発明に係る印刷装置は、色毎のトナーセーブ率に基づいて画像データを記憶する第１の記憶手段と、予め特定の色を除いた印字率のしきい値を記憶する第２の記憶手段と、前記第１の記憶手段に記憶した画像データの出力を行う出力手段と、前記出力された画像データに基づいて記録媒体に印刷処理を行う印刷手段と、前記特定の色を除いた前記画像データに含まれる各色の印字率を前記第２の記憶手段に記憶されたしきい値と比較し、該比較結果に基づいて、前記出力手段による画像データの出力を停止させる停止手段と、を有する。
【発明の効果】
【０００９】
本発明によれば、特定色を除いた印字率のしきい値を比較し、判読が不可能であると判断する場合、画像データの印字出力を中止し、トナーの無駄、用紙の無駄を防止することができる。
【図面の簡単な説明】
【００１０】
【図１】本実施形態の印刷装置のシステム構成図である。
【図２】メモリ（ＲＡＭ）内の印刷判断情報の構成を説明する図である。
【図３】トナーセーブのコマンドパラメータを説明する図である。
【図４】コマンドパラメータの解析処理を説明するフローチャートである。
【図５】ページ画像の作成処理を説明するフローチャートである。
【図６】トナーセーブモードにおける印刷出力の有無の判断処理を説明するフローチャートである。
【図７】トナーセーブモードにおける印刷出力の有無の判断処理を説明するフローチャートである。
【発明を実施するための形態】
【００１１】
以下、本発明の実施の形態を図面を参照しながら説明する。
図１は本発明の実施形態を説明する印刷装置のシステム構成図である。尚、本例で使用する印刷装置は、印刷機能に加えて、スキャナ機能やファクシミリ機能、複写機能等を持つ複合機（以下、ＭＦＰ（多機能印刷装置・マルチファンクションプリンタ）で示す）であり、以後このＭＦＰを使用して説明する。
【００１２】
ＭＦＰ１は、スキャナ部２、ＭＦＰ制御部３、プリンタ部４で構成されている。スキャナ部２は読取機構部２ａを有し、読取機構部２ａの駆動により原稿台に載置された原稿画像が読み取られ、ＭＦＰ制御部３に原稿データが送信される。
【００１３】
ＭＦＰ制御部３は、メイン制御部５、読取機構制御部６、表示操作制御部７、ＦＡＸ通信制御部８、ＬＡＮ通信制御部９、インターネット通信制御部１０、ＩＣカード装置制御部１１、記憶装置制御部１２、及び記憶装置部（ＨＤＤ）１３で構成されている。また、メイン制御部５はメモリ５ａを内蔵する。
【００１４】
読取機構制御部６は前述のスキャナ部２に設けられた読取機構部２ａの機構制御を行い、スキャナ部２で読み取った原稿データをＭＦＰ制御部３に送る。
【００１５】
表示操作制御部７は、表示操作部１５に設けられたキー等の操作に基づく操作信号をメイン制御部５に出力する。メイン制御部５内には、メモリ（ＲＡＭ）５ａが含まれ、後述する印刷制御使用情報や、各色のフレーム情報が記憶される。また、表示操作制御部７は、メイン制御部５から出力される表示データを表示操作部１５に出力する。さらに、記憶装置制御部１２は、記憶装置部（ＨＤＤ）１３へのデータ書き込み、及び記憶装置部（ＨＤＤ）１３に記憶されたデータの読み出し制御を行う。
【００１６】
ＬＡＮ通信制御部９は、本例で使用するＭＦＰ１をＬＡＮに接続するためのインターフェイスであり、クライアントＰＣ等との通信に使用され、例えばこのクライアントＰＣから印刷データが供給される。
【００１７】
また、ＦＡＸ通信制御部８は、ファクシミリデータの送受信制御を行う。また、インターネット通信制御部１０は、例えばＴＣＰ/ＩＰ（transmission control protocol/internet protocol）によってパケット通信を行う。さらに、ＩＣカード装置制御部１１はＩＣカードリーダ１６との間のインターフェイスであり、例えば親展印刷における認証に使用される。
【００１８】
一方、プリンタ部４はＰＰＲ制御部１７、印刷機構部１８、及び給紙装置１９で構成され、給紙装置１９から搬出された用紙（記録媒体）にＰＰＲ制御部１７の制御に基づいて印刷処理が行われ、印刷結果２０は不図示の排紙部に出力される。
【００１９】
図２は上記メモリ（ＲＡＭ）５ａ内に格納される印刷判断情報の構成を説明する図である。この印刷判断情報は印刷制御使用情報記憶部２１と、各色フレーム情報記憶部２２で構成されている。また、各色フレーム情報記憶部２２はブラック（Ｋ）に対応するＫフレーム情報記憶部２２Ｋ、シアン（Ｃ）に対応するＣフレーム情報記憶部２２Ｃ、マゼンタ（Ｍ）に対応するＭフレーム情報記憶部２２Ｍで構成されている。
【００２０】
また、各色フレーム情報記憶部２２には、フレームアクセス情報、印字率しきい値情報、及び計算結果情報が記憶される。尚、上記メモリ（ＲＡＭ）５ａに記憶される情報は、前述のクライアントＰＣから供給される印刷データに含まれる情報であり、例えば印刷データのヘッダ部に記述された情報である。
【００２１】
以上の構成において、以下に本例の処理動作を説明する。
先ず、クライアントＰＣはアプリケーションプログラムに基づいて印刷データを作成し、プリンタドライバによってＭＦＰ１に対応した印刷データに変換し、ＭＦＰ１に出力する。この時、印刷データには図３に示す情報が付加される。この情報はトナーセーブの為のコマンドパラメータであり、上記のように、例えば印刷データのヘッダ部に記述されている。
【００２２】
ここで、同図に示すコマンド識別子とはトナーセーブコマンドを表す識別子であり、この識別子が含まれていると、以後トナーセーブに関するコマンドパラメータが記述されていることを認識できる。また、各色のトナーセーブ率の情報は、対応するフレーム毎に０％〜１００％まで設定可能な濃度情報である。また、印刷制御使用情報とは本実施形態のトナーセーブモードにおける印刷処理を行うか否かの情報である。さらに、各色のフレーム印字率しきい値情報は、各色に対応する印字率のしきい値情報である。尚、この情報には、特定色であるイエロー（Ｙ）の印字率しきい値情報は含まれない。
【００２３】
クライアントＰＣから上記情報をヘッダ部に含む印刷データは、前述のＬＡＮ通信制御部９からメイン制御部５（ＭＦＰ１）に入力する。メイン制御部５は入力した印刷データのコマンド解析を行う。図４はこの処理を説明するフローチャートである。
【００２４】
先ず、メイン制御部５はヘッダ部に記述されたコマンドのチェックを行い、各色のトナーセーブ率のパラメータチェックを行う（ステップ（以下、Ｓで示す）１）。ここで、例えばヘッダ部に図３に示した各色のトナーセーブ率の情報が記述されていれば（Ｓ１が有効）、更に印刷制御使用情報のパラメータチェックを行う（Ｓ２）。尚、各色のトナーセーブ率の情報が記述されていない場合（Ｓ１が無効）、及び印刷制御使用情報のパラメータが記述されていない場合（Ｓ２が無効）、本例の処理を終了する。
【００２５】
次に、トナーセーブ率のパラメータ、及び印刷制御使用情報のパラメータが記述されている場合（Ｓ２が有効）、印刷制御使用情報を記憶し（Ｓ３）、各色のフレーム印字率しきい値のパラメータチェックを行う（Ｓ４）。ここで、各色のフレーム印字率しきい値のパラメータが有効であれば、各色フレーム情報をメモリ（ＲＡＭ）５ａに記憶する。すなわち、図２に示す印刷制御使用情報記憶部２１に印刷制御使用情報を記憶し、各色フレーム情報記憶部２２に各色の印字率しきい値情報を記憶する（Ｓ５）。一方、各色フレーム印字率しきい値のパラメータが無効であれば、印刷制御使用情報及び各色フレーム情報を破棄する（Ｓ６）。
【００２６】
以上のようにしてメモリ（ＲＡＭ）５ａ（印刷制御使用情報記憶部２１及び各色フレーム情報記憶部２２）に必要な情報を記憶した後、次にページ画像の作成処理を行う。図５はこの処理を説明するフローチャートである。
【００２７】
先ず、印刷データに含まれるＲＧＢ画像データをＣＭＹＫ画像データに変換する（ステップ（以下、ＳＴで示す）１）。この変換処理は、例えば予め作成されたパターンデータを使用して行い、ＲＧＢ画像データの階調値に対応したパターンデータを選択し、ＲＧＢ画像データをＣＭＹＫ画像データに変換する。
【００２８】
次に、ＣＭＹＫ画像データにトナーセーブ値を加味させた新たなＣＭＹＫ画像データを作成する（ＳＴ２）。すなわち、上記変換後のＣＭＹＫ画像データにヘッダ部に記述されたトナーセーブ率のパラメータを乗算し、新たなＣＭＹＫ画像データを作成する。具体的には色毎に上記処理が行なわれ、Ｃ画像データに対してＣトナーセーブ率のパラメータを乗算して新たなＣ画像データを作成し、Ｍ画像データに対してＭトナーセーブ率のパラメータを乗算して新たなＭ画像データを作成し、Ｙ画像データに対してＹトナーセーブ率のパラメータを乗算して新たなＹ画像データを作成し、Ｋ画像データに対してＫトナーセーブ率のパラメータを乗算して新たなＫ画像データを作成する。
【００２９】
次に、上記ＣＭＹＫ画像データをメモリ（ＲＡＭ内フレームメモリ）５ａに描画する。例えば、先ずＹ（イエロー）成分の画像データの有無を判断し（ＳＴ３）、画像データにＹ成分が含まれていれば（ＳＴ３がＹＥＳ）、メモリ５ａのＹフレームに上記Ｙ成分の画像データを描画する（ＳＴ４）。尚、画像データにＹ成分が含まれていなければ（ＳＴ３がＮＯ）、次のブラックの処理に直接移行する。
【００３０】
次に、上記と同様Ｋ（ブラック）についても、Ｋ（ブラック）成分の画像データの有無を判断し（ＳＴ５）、画像データにＫ成分が含まれていれば（ＳＴ５がＹＥＳ）、メモリ５ａのＫフレームにＫ成分の画像データを描画する（ＳＴ６）。さらに、Ｋフレーム情報のフレームアクセス情報を設定する（ＳＴ７）。すなわち、Ｙ（イエロー）の場合の処理と異なり、更に前述の図２に示すＫフレーム情報記憶部２２Ｋにフレームアクセス情報の設定を行なう。
【００３１】
次に、上記と同様Ｃ（シアン）についても、Ｃ成分の画像データの有無を判断し（ＳＴ８）、画像データにＣ成分が含まれていれば（ＳＴ８がＹＥＳ）、メモリ５ａのＣフレームにＣ成分の画像データを描画し（ＳＴ９）。更に前述の図２に示すＣフレーム情報記憶部２２Ｃにフレームアクセス情報の設定を行なう（ＳＴ１０）。
【００３２】
最後に、Ｍ（マゼンタ）についても、Ｍ成分の画像データの有無を判断し（ＳＴ１１）、画像データにＭ成分が含まれていれば（ＳＴ１１がＹＥＳ）、メモリ５ａのＭフレームにＭ成分の画像データを描画し（ＳＴ１２）、更に前述の図２に示すＭフレーム情報記憶部２２Ｍにフレームアクセス情報の設定を行なう（ＳＴ１３）。
【００３３】
以上の処理によって、メモリ５ａの各色のフレームには対応する色の画像データが展開され、図２の各色フレーム情報記憶部２２のＫ（ブラック）、Ｃ（シアン）、Ｍ（マゼンダ）に対応するフレーム情報記憶部２２Ｋ、２２Ｃ、２２Ｍにはフレームアクセス情報が設定される。
【００３４】
次に、メイン制御部５はメモリ５ａに展開された画像データの出力処理を行なう。図６及び図７はこの処理を説明するフローチャートであり、メモリ５ａに展開された画像データの出力判断を行なう処理である。
【００３５】
先ず、印刷制御使用情報の有無を判断する（ステップ（以下、ＳＴＰで示す）１）。すなわち、前述の図２に示す印刷制御使用情報記憶部２１に印刷制御使用情報が設定されているか否か判断する。ここで、例えば印刷制御使用情報が設定されていれば（ＳＴＰ１がＹＥＳ）、本例の処理を行なう。すなわち、トナーセーブモード時において、メモリ５ａに展開された画像データの出力有無の判断を行なう。一方、印刷制御使用情報が設定されていなければ（ＳＴＰ１がＮＯ）、本例の処理を終了する。
【００３６】
次に、本例の処理を行なう場合、先ずＫフレームのアクセス情報の有無を判断する（ＳＴＰ２）。ここで、Ｋフレームのアクセス情報が有れば（ＳＴＰ２が有り）、Ｋフレームの印字率を算出する（ＳＴＰ３）。例えば、メモリ５ａに展開されたＫフレームの画像データの印字/非印字の割合を計算する。そして、しきい値の比較を行なう（ＳＴＰ４）。このしきい値の比較は、図２に示すＫフレーム情報記憶部２２に記憶されたＫの印字率の値と上記計算によって取得した計算結果との比較を行なう。
【００３７】
ここで、上記計算によって取得した計算結果がＫフレーム情報記憶部２２Ｋに記憶されたＫの印字率の値より大きい場合（ＳＴＰ４が大きい）、図２に示すＫフレーム情報記憶部２２Ｋの計算結果情報のエリアに“大きい”（例えば、“１”）を設定する（ＳＴＰ５）。一方、上記計算によって取得した計算結果がＫフレーム情報記憶部２２Ｋに記憶されたＫの印字率より小さい場合（ＳＴＰ４が小さい）、Ｋフレーム情報記憶部２２Ｋの計算結果情報のエリアに“小さい”（例えば、“０”）を設定する（ＳＴＰ６）。
【００３８】
次に、Ｃフレームのアクセス情報の有無を判断し（ＳＴＰ７）、Ｃフレームのアクセス情報が有れば（ＳＴＰ７が有り）、Ｃフレームの印字率を算出し（ＳＴＰ８）、上記と同様、しきい値の比較を行なう（ＳＴＰ９）。そして、上記計算によって取得した計算結果がＣフレーム情報記憶部２２Ｃに記憶されたＣの印字率の値より大きい場合（ＳＴＰ９が大きい）、Ｃフレーム情報記憶部２２Ｃの計算結果情報のエリアに“大きい”（例えば、“１”）を設定する（ＳＴＰ１０）。一方、上記計算によって取得した計算結果がＣフレーム情報記憶部２２Ｃに記憶されたＣの印字率より小さい場合（ＳＴＰ９が小さい）、Ｃフレーム情報記憶部２２Ｃの計算結果情報のエリアに“小さい”（例えば、“０”）を設定する（ＳＴＰ１１）。
【００３９】
さらに、Ｍ（マゼンダ）についても、Ｍフレームのアクセス情報の有無を判断し（ＳＴＰ１２）、Ｍフレームのアクセス情報が有れば（ＳＴＰ１２が有り）、Ｍフレームの印字率を算出し（ＳＴＰ１３）、上記と同様、しきい値の比較を行なう（ＳＴＰ１４）。そして、上記計算によって取得した計算結果がＭフレーム情報記憶部２２Ｍに記憶されたＭの印字率の値より大きい場合（ＳＴＰ１４が大きい）、Ｍフレーム情報記憶部２２Ｍの計算結果情報のエリアに“大きい”（例えば、“１”）を設定する（ＳＴＰ１５）。一方、上記計算によって取得した計算結果がＭフレーム情報記憶部２２Ｍに記憶されたＭの印字率より小さい場合（ＳＴＰ１４が小さい）、Ｍフレーム情報記憶部２２Ｍの計算結果情報のエリアに“小さい”（例えば、“０”）を設定する（ＳＴＰ１６）。
【００４０】
次に、図２の各色フレーム情報記憶部２２のエリアに記憶したＫＣＭの計算結果の情報が全て“小さい”（例えば、“１”）であるか判断する（ＳＴＰ１７（図７））。すなわち、前述の計算結果の印字率が予め設定した各色のフレーム印字率しきい値より全て小さい場合（ＳＴＰ１７がＹＥＳ）、処理を終了する。この場合、メモリ５ａに展開された画像データを印字ヘッドに出力せず、処理を終了する。
【００４１】
すなわち、この場合トナーセーブ率を加味したＣＭＹＫ画像データに基づいて計算された各色のフレームの印字率が予め設定したしきい値より全て小さいので、画像データの印刷処理を行っても、印字濃度が極めて低い印刷物になると考えられる。したがって、この場合、メモリ５ａに展開された画像データの印字出力を中止し、用紙の無駄を防止する。また、本例の処理によって、印字処理が行なわれないため、トナーの無駄も防止できる。
【００４２】
一方、前述の計算結果の印字率が予め設定した各色のフレーム印字率しきい値より全て小さくない場合、即ち何れか一色でも大きい場合（ＳＴＰ１７がＮＯ）、メモリ５ａに展開された画像データをＰＰＲ制御部１７（プリンタ部４）に転送する（ＳＴＰ１８）。そして、印刷機構部１８によって搬送される用紙に印刷処理を施し、印刷結果２０を機外に出力する。
【００４３】
尚、上記説明では、計算結果の印字率が予め設定した各色のフレーム印字率のしきい値より全て小さい場合、メモリ５ａに展開された画像データを印字ヘッドへ出力しない場合について説明したが、全て小さい場合に限定するものではない。例えば、１色について小さい場合であってもよく、又２色について小さい場合であってもよい。
【００４４】
また、本実施形態の説明では、Ｋ（ブラック）、Ｃ（シアン）、Ｍ（マゼンダ）、Ｙ（イエロー）の４色について説明したが、４色に限定されるものではない。例えば、６色等、他の色数であっても本発明を実施することができる。
【００４５】
本発明はいくつかの実施形態を説明したが、本発明は特許請求の範囲に記載された発明とその均等の範囲に含まれる。以下、本件特許出願の出願当初の特許請求の範囲に記載された発明を付記する。
【００４６】
付記１
色毎のトナーセーブ率に基づいて画像データを記憶する第１の記憶手段と、
予め特定の色を除いた印字率のしきい値を記憶する第２の記憶手段と、
予め特定の色を除いた前記画像データに含まれる各色の印字率を前記第２の記憶手段に記憶されたしきい値と比較し、該比較結果に基づいて前記第１の記憶手段に記憶した画像データの出力を行う制御手段と、
該出力された画像データに基づいて記録媒体に印刷処理を行う印刷処理手段と、
を有することを特徴とする印刷装置。
【００４７】
付記２
前記制御手段は、予め特定の色を除いた前記画像データに含まれる各色の印字率が前記第２の記憶手段に記憶されたしきい値より、一つでも小さくない場合、前記画像データの出力を行うことを特徴とする付記１に記載の印刷装置。
【００４８】
付記３
前記特定の色は、イエローであることを特徴とする付記１、又は２に記載の印刷装置。
【００４９】
付記４
色毎のトナーセーブ率に基づいて画像データを第１の記憶手段に記憶する処理と、
予め特定の色を除いた印字率のしきい値を第２の記憶手段に記憶する処理と、
予め特定の色を除いた前記画像データに含まれる各色の印字率を前記第２の記憶手段に記憶されたしきい値と比較し、該比較結果に基づいて前記第１の記憶手段に記憶した画像データの出力を行う制御処理と、
該出力された画像データに基づいて記録媒体に印字を行う処理と、
を行なうことを特徴とする印刷方法。
【００５０】
付記５
前記制御処理は、予め特定の色を除いた前記画像データに含まれる各色の印字率が前記第２の記憶手段に記憶されたしきい値より、一つでも小さくない場合、前記画像データの出力を行うことを特徴とする付記４に記載の印刷方法。
【符号の説明】
【００５１】
１・・・ＭＦＰ
２・・・スキャナ部
２ａ・・読取機構部
３・・・ＭＦＰ制御部
４・・・プリンタ部
５・・・メイン制御部
５ａ・・・メモリ（ＲＡＭ）
６・・・読取機構制御部
７・・・表示操作制御部
８・・・ＦＡＸ通信制御部
９・・・ＬＡＮ通信制御部
１０・・インターネット通信制御部
１１・・ＩＣカード装置制御部
１２・・記憶装置制御部
１３・・記憶装置部（ＨＤＤ）
１５・・表示操作部
１６・・ＩＣカードリーダ
１７・・ＰＰＲ制御部
１８・・印刷機構部
１９・・給紙装置
２０・・印刷結果
２１・・印刷制御使用情報記憶部
２２、２２Ｋ、２２Ｃ、２２Ｍ・・色フレーム情報記憶部
【図１】
0005790019.tif 000002
【図２】
0005790019.tif 000003
【図３】
0005790019.tif 000004
【図４】
0005790019.tif 000005
【図５】
0005790019.tif 000006
【図６】
0005790019.tif 000007
【図７】
0005790019.tif 000008